(57)【要約】【課題】車両用シートに備えられた格納可能なシートサイドテーブルにおいて、格納状態であっても小物を収容可能とする。【解決手段】シートサイドテーブル１２は、車両用シートの側部に配置される。シートサイドテーブル１２の基部１６は車両用シートに固定されている。また、基部１６には、上方に向けて開口した収容部２０が設けられている。天板１８は、基部１６に回動可能に装着され、回動することにより展開位置と格納位置を採ることができる。基部１６は、車両用シートに固定されているので、天板１８が格納位置にあっても、収容部２０に小物を収容することができる。【選択図】図２
2020128176.tif 000002
【特許請求の範囲】
【請求項１】
車両用シートの側部に固定された基部であって、上方に向けて開口した収容部が設けられた基部と、
展開位置と格納位置の間で回動可能に前記基部に装着された天板と、
を有する、シートサイドテーブル。
【請求項２】
請求項1に記載のシートサイドテーブルであって、前記天板には、前記基部が嵌まる切り込み部が設けられている、シートサイドテーブル。
【請求項３】
請求項１または２に記載のシートサイドテーブルであって、前記基部の、シートの幅方向において外側の側面は、当該側面に対向する前記天板の側縁の天板回動時の軌跡に沿った形状を有する、シートサイドテーブル。
【発明の詳細な説明】
【技術分野】
【０００１】
本発明は、車両のシート側部に装着されたシートサイドテーブルに関する。
【背景技術】
【０００２】
車両のシートの側部に、展開および格納可能に設けられ、展開時に小物を載置できるシートサイドテーブルが知られている。下記特許文献１には、車両用シート（１）の側部配置されたテーブル（１０）が示されている。テーブル（１０）は、車両用シート（１）から側方に水平方向に延びる展開状態と、車両用シート（１）の側部に沿って垂下された格納状態との間で回動可能である。テーブル（１０）には、カップホルダ（１１）および小物置き（１２）が設けられ、展開されたときには、飲料用のカップや小物を収容または載置することができる。なお、上記の（  ）内の符号は、下記特許文献１で用いられている符号であり、本願の実施形態の説明で用いられる符号とは関連しない。
【先行技術文献】
【特許文献】
【０００３】
【特許文献１】特開２０１４−９１４６４号公報
【発明の概要】
【発明が解決しようとする課題】
【０００４】
シートサイドテーブルにおいて、格納状態であっても、小物を収容したいという要望がある。
【０００５】
本発明は、格納状態においても小物を収容可能なシートサイドテーブルを提供する。
【課題を解決するための手段】
【０００６】
本発明に係るシートサイドテーブルは、車両用シートの側部に固定された基部であって、上方に向けて開口した収容部が設けられた基部と、展開位置と格納位置の間で回動可能に基部に装着された天板とを有する。基部は車両様シートの側部に固定されているため、その収容部の開口は天板の位置にかかわらず常に上方を向く。
【０００７】
天板には、基部が嵌まる切り込み部を設けることができる。基部と切り込み部が嵌まり合うことにより、天板を展開したときにシートサイドテーブルが平面視において全体として略長方形となる。
【０００８】
基部の、シートの幅方向において外側の側面は、当該側面に対向する天板の側縁の天板回動時の軌跡に沿った形状を有するものとすることができる。これにより、基部の外側の側面と天板の側縁の隙間の変化を抑えることができる。
【発明の効果】
【０００９】
車両用シートの側部に固定された基部に収容部を設けることにより、天板を格納位置としたときも、基部の収容部に小物を収容することができる。
【図面の簡単な説明】
【００１０】
【図１】シートサイドテーブルを備えた車両用シートを示す斜視図である。
【図２】展開状態のシートサイドテーブルを示す斜視図である。
【図３】格納状態のシートサイドテーブルを示す斜視図である。
【図４】シートサイドテーブルの、前後方向に直交する断面を示す図である。
【発明を実施するための形態】
【００１１】
以下、本発明の実施形態を図面に従って説明する。図１は、車両用シート１０を示す斜視図である。以下の説明において、特段の断りがない限り、前後左右上下等の方向および向きを表す語句は、車両用シート１０に着座した乗員（以下、着座者と記す。）に関する方向および向きを表す。また、車両用シート１０の左右方向（幅方向）において、前後方向に延びる中心線に近い側を幅方向内側、遠い側を幅方向外側と記す。各図において、矢印ＦＲの向きが前方、矢印ＵＰの向きが上方、矢印ＬＨの向きが左方、矢印ＯＵＴの向きが幅方向外側である。
【００１２】
車両用シート１０は、３列のシートを備えた自動車の２列目のシート、特に進行方向右側のシートである。３列シートの自動車においては、２列目の左右のシートの間を通って３列目に乗り込むタイプのものがある。この場合、２列目の左右のシートの間は通路を確保するために開けられている。車両用シート１０は、３列目の乗降時以外のときに、シート間の空間を有効利用するために、格納可能なシートサイドテーブル１２をシートクッション１４の側部に備えている。
【００１３】
シートサイドテーブル１２は、車両用シート１０、特にシートクッション１４に固定された基部１６と、基部１６に装着され、展開位置と格納位置の間で回動可能な天板１８とを有する。図１において、展開位置にある天板１８が実線で示され、格納位置にある天板の概形が一点鎖線で示されている。天板１８は、展開位置において、シートクッション１４の側部から幅方向外側に水平方向に延びるように配置される。天板１８は、基部１６を貫き、前後方向に延びる軸線周りに回動可能であり、展開位置から図中の矢印Ａの向きに約９０°回動させると、格納位置となる。
【００１４】
図２から図４は、シートサイドテーブル１２を単体で示す図であり、図２は天板１８が展開位置にある展開状態を、図３は天板１８が格納位置にある格納状態を示す図である。図４は、シートサイドテーブル１２の、前後方向に対して直交する断面による端面図である。
【００１５】
基部１６は、平面視において略長方形であり、上面から下向きに窪んだ凹部が設けられている。この凹部は、上方に向けて開口した収容部２０を形成し、スマートフォンなどの小物を収容することができる。また、基部１６の上面には、通信および給電用のケーブルを接続するレセプタクル、例えばＵＳＢポート２２が設けられている。
【００１６】
天板１８は、基部１６を前後方向に貫く軸線２４の周りを回動可能に、基部１６に装着されている。天板１８には、展開位置にあるとき幅方向内側の辺縁に略長方形の切り込み部２６が形成されている。この切り込み部２６と基部１６が嵌まり合い、展開状態において、シートサイドテーブル１２は、平面視したとき全体として略長方形となっている。また、格納状態においては、天板１８が、基部１６の幅方向外側の端面と面一になってよく、または端面より内側に収まってもよい。
【００１７】
天板１８の前後方向において中央部に上面が平らな平板部２８が設けられ、前端部および後端部にそれぞれカップホルダ３０が設けられている。平板部２８は、図４に示されるように厚みの薄い板材で形成されている。前後方向において平板部２８の寸法は、基部１６と同じか、それより長く、基部１６の幅方向外側の側面３２は、前後方向の全体にわたって平板部２８に対向している。以下、この側面３２を基部外側側面３２と記す。また、基部外側側面３２に対向する天板１８の側縁を基部対向天板側縁３４と記す。カップホルダ３０は、天板１８の、展開位置における上面から窪んで形成され、この窪みに飲料用のカップやびん、缶の底部が入れられ、カップ等が保持される。
【００１８】
基部外側側面３２は、天板１８が回動するときの基部対向天板側縁３４の軌跡に沿った形状を有する。基部対向天板側縁３４が直線形状であれば、基部外側側面３２は、天板１８の回動の軸線２４を軸とする円筒面の一部となる。このような形状とすることにより、天板１８の回動中、基部外側側面３２と基部対向天板側縁３４の隙間は一定に保たれる。基部外側側面３２と基部対向天板側縁３４の隙間を狭く設定すれば、天板１８の回動中、指や他の物品がこの隙間に挟まれにくくなる。
【００１９】
シートサイドテーブル１２の基部１６は、車両用シート１０に固定されているので、天板１８が回動しても動かない。よって、基部１６の収容部２０は、天板１８を回動させて格納しても、上方に向けて開口した状態が維持され、収容部２０に小物を収容可能である。また、乗降のために展開位置にある天板１８を格納する必要が生じたとき、収容部２０に収容された小物はそのままで天板１８を格納することができる。
【００２０】
カップホルダを備えたシートサイドテーブルは、カップを保持するためにある程度の厚さを有している。よって、シートサイドテーブルを格納した場合であっても、シートクッションよりも幅方向外側にその厚み分だけ張り出している。このシートサイドテーブル１２にあっては、張り出したスペースを収容部２０として有効に活用することができる。
【００２１】
シートサイドテーブルは、車両の進行方向左側のシートに設けることができる。この場合、シートサイドテーブルは、上述のシートサイドテーブル１２と左右対称の形状を有し、シートの右側部に配置される。
【符号の説明】
【００２２】
１０  車両用シート、１２  シートサイドテーブル、１４  シートクッション、１６  基部、１８  天板、２０  収容部、２２  ＵＳＢポート、２４  軸線、２６  切り込み部、２８  平板部、３０  カップホルダ、３２  基部外側側面、３４  基部対向天板側縁。
【図１】
2020128176.tif 000003
【図２】
2020128176.tif 000004
【図３】
2020128176.tif 000005
【図４】
2020128176.tif 000006